(57)【要約】【課題】上側筐体の下端にカーブを設けることなく、上側筐体を左右に傾けることができる携帯端末装置を提供する。【解決手段】  下側筐体と、上側筐体と、下側筐体にヒンジ接続されるとともに前面で上側筐体背面を支持して下側筐体に対して上側筐体と一体的に開閉する中間筐体とを備えた携帯端末装置において、上側筐体と中間筐体とのうちの一方が上下に延びる垂直溝を有し、他方がその垂直溝に入り込んで垂直溝に案内される突起を備えたものであり、垂直溝と突起とにより、上側筐体を左倒状態と右倒状態との間で回動させる回動機構を備えた。【選択図】        図６
2008199385.tif 000002
【特許請求の範囲】
【請求項１】
下側筐体と、
上側筐体と、
前記下側筐体にヒンジ接続されるとともに前面で前記上側筐体背面を支持して該下側筐体に対して該上側筐体と一体的に開閉する中間筐体とを備え、
前記上側筐体と前記中間筐体とのうちの一方である第１の筐体が、該上側筐体と該中間筐体とのうちの他方である第２の筐体に向いた面に、上下に延びる垂直溝を有し、
前記第２の筐体が、前記第１の筐体に向いた面から突出して前記垂直溝に入り込んで該垂直溝に案内される突起を備え、
前記垂直溝と前記突起とにより、前記上側筐体を、該上側筐体が左に倒れた左倒状態と右に倒れた右倒状態との間で、該左倒状態と該右倒状態との中間の起立状態を経由して回動させる回動機構が構成されていることを特徴とする携帯端末装置。
【請求項２】
前記上側筐体と前記中間筐体との間に、前記上側筐体を下に付勢する付勢部材を備えたことを特徴とする請求項１記載の携帯端末装置。
【請求項３】
前記第１の筐体が、前記垂直溝に加え、前記上側筐体を回動させるときの該上側筐体の上下方向の位置を案内する案内溝を有し、
前記第２の筐体が、前記突起に加え、前記案内溝に入り込んで前記上側筐体を回動させるときの該上側筐体の上下方向の位置を規制する案内ピンを有することを特徴とする請求項１記載の携帯端末装置。
【請求項４】
前記第２の筐体が、前記突起に加え、前記上側筐体を回動させるときの該上側筐体の上下方向の位置を案内する案内溝を有し、
前記第１の筐体が、前記垂直溝に加え、前記案内溝に入り込んで前記上側筐体を回動させるときの該上側筐体の上下方向の位置を規制する案内ピンを有することを特徴とする請求項１記載の携帯端末装置。
【請求項５】
前記案内溝が、左右対称に中央から左右に向かうに従って斜めに立ち上がる形状の溝であることを特徴とする請求項３又は４記載の携帯端末装置。
【請求項６】
前記案内溝が左右対称の２つの円弧状の溝が中央で接続した形状の溝であることを特徴とする請求項３又は４記載の携帯端末装置。
【請求項７】
前記突起が中空突起であって、該中空突起を貫通した、前記上側筐体と前記下側筐体とを接続する電気ケーブルを備えたことを特徴とする請求項１記載の携帯端末装置。
【請求項８】
前記下側筐体と前記中間筐体とをヒンジ接続しているヒンジ部の左右両端部に、前記上側筐体の、該ヒンジ部側の端面との間に指先を入れて該上側筐体を持上げる窪み部を有することを特徴とする請求項１記載の携帯端末装置。
【請求項９】
前記上側筐体が、前記起立状態にあるときの前記下側筐体の辺両側に窪みが設けられたものであり、
前記中間筐体が、
前記窪みに嵌入して左右方向に移動することにより、前記上側筐体を回動させる移動爪と、
前記移動爪どうしを前記左右方向に互いに引き合う向きに付勢する補助付勢部材と、
前記移動爪に干渉して該移動爪の移動を制止する制止爪と、
押圧されることによって該制止爪による前記移動爪の干渉を解除する操作子とを備えたものであることを特徴とする請求項１記載の携帯端末装置。
【請求項１０】
前記中間筐体が、左右方向に延びるラックギアを備えたものであり、
前記上側筐体が、前記起立状態にあるときの前記下側筐体の左右両隅に、前記ラックギアと噛み合うピニオンギアと、該ピニオンギアを回転駆動することによって、該上側筐体を回動させるモータとを備えたものであることを特徴とする請求項１記載の携帯端末装置。
【発明の詳細な説明】
【技術分野】
【０００１】
本発明は、上側筐体と下側筐体とが回転自在に連結された折りたたみ式の携帯端末装置に関する。
【背景技術】
【０００２】
近年、携帯電話機には、標準的な通話機能や電子メールの送受信機能などに加えて、被写体を撮影するためのカメラ機能や、ウェブサイトを閲覧するためのブラウザ機能や、テレビ番組を視聴するためのテレビ機能などが搭載されてきている。携帯電話機は、単にコミュニケーションを図るための手段にとどまらず、デジタルカメラ、パーソナルコンピュータ、およびテレビの代わりとなる自分専用の多機能端末として幅広い年代に利用されてきている。
【０００３】
しかし、通常のテレビやパーソナルコンピュータは、表示画面が横長形状であるのに対し、携帯電話機は、片手での把持性や操作性を向上させるために端末全体が縦長形状を有しており、表示画面も縦長形状であることが一般的である。このため、通常のテレビやパーソナルコンピュータなどに表示される横長形状の画像を携帯電話機で閲覧する場合、縦長形状の表示画面に合わせて画像を小さく縮小して表示したり、表示画面に対して画像を横向きに表示し、ユーザは携帯電話機を横向きに把持して画像を閲覧することが多く、画像の大きさと携帯電話機の把持性とのうちのいずれか一方が犠牲になってしまうという問題がある。
【０００４】
この点に関し、特許文献１には、表示画面が設けられた上側筐体と、操作子が備えられた下側筐体と、下側筐体にヒンジ接続されるとともに、上側筐体を軸を中心に左右方向に回転自在に支持する支持筐体とを備えた折りたたみ式の携帯電話機について記載されている。この特許文献１に記載された携帯電話機によると、テレビを視聴する場合などには、表示画面に対して画像を横向きに表示し、上側筐体を支持筐体に対して左右に回転させることによって、表示画面を有効に利用して画像を大きく表示させることができるとともに、携帯電話機を正しく縦向きに把持したままでテレビを視聴することができる。
【特許文献１】特開２００３−３１９０４３号公報
【発明の開示】
【発明が解決しようとする課題】
【０００５】
しかし、特許文献１の図２に示すように、上側筐体を支持筐体に設けられた軸を中心に回転させるにあたり、上側筐体の角がヒンジに干渉されないように、上側筐体の下端を中央から左右両端に向かって大きくカーブさせておく必要があり、表示画面が小さくなってしまったり、デザインが限定されてしまうなどという問題がある。
【０００６】
本発明は、上記事情に鑑み、上側筐体の下端にカーブを設けることなく、上側筐体を左右に傾けることができる携帯端末装置を提供することを目的とする。
【課題を解決するための手段】
【０００７】
上記目的を達成する本発明の携帯端末装置は、
下側筐体と、
上側筐体と、
下側筐体にヒンジ接続されるとともに前面で上側筐体背面を支持して下側筐体に対して上側筐体と一体的に開閉する中間筐体とを備え、
上側筐体と中間筐体とのうちの一方である第１の筐体が、上側筐体と中間筐体とのうちの他方である第２の筐体に向いた面に、上下に延びる垂直溝を有し、
第２の筐体が、第１の筐体に向いた面から突出して垂直溝に入り込んで垂直溝に案内される突起を備え、
垂直溝と突起とにより、上側筐体を、上側筐体が左に倒れた左倒状態と右に倒れた右倒状態との間で、左倒状態と右倒状態との中間の起立状態を経由して回動させる回動機構が構成されていることを特徴とする。
【０００８】
本発明の携帯端末装置によると、突起が垂直溝に案内されることによって上側筐体と中間筐体との間の距離があけられ、上側筐体の下端が中間筐体にぶつからない位置で上側筐体が回動されるため、上側筐体の下端に干渉防止用のカーブを設ける必要がなく、デザインが限定されてしまう不具合を回避することができる。また、例えば、上側筐体に表示画面を設けることによって、画像の寸法に応じた向きで画像を表示し、携帯端末装置を把持したままで表示画面を傾けて画像を確認することができる。
【０００９】
また、本発明の携帯端末装置において、上側筐体と中間筐体との間に、上側筐体を下に付勢する付勢部材を備えたことが好ましい。
【００１０】
起立状態においては、付勢部材によって上側筐体が起立状態を維持する方向に付勢され、上側筐体が傾けられると、付勢部材によって上側筐体が左倒状態および右倒状態に回動される方向に付勢されるため、上側筐体を起立状態、左倒状態、および右倒状態に維持することができる。
【００１１】
また、本発明の携帯端末装置において、下側筐体と中間筐体とをヒンジ接続しているヒンジ部に、上側筐体を回動させるときに上側筐体と摺動して上側筐体を案内するガイドを備えたことが好ましい。
【００１２】
上側筐体がガイドによって案内されることによって、上側筐体をスムーズに回動させることができる。
【００１３】
また、本発明の携帯端末装置において、上記第１の筐体が、垂直溝に加え、上側筐体を回動させるときの上側筐体の上下方向の位置を案内する案内溝を有し、
第２の筐体が、突起に加え、案内溝に入り込んで上側筐体を回動させるときの上側筐体の上下方向の位置を規制する案内ピンを有することが好ましい。
【００１４】
垂直溝によって突起が上下方向に案内されるとともに、案内溝によって案内ピンが案内されて上側筐体の上下方向の位置が規制されることによって、回動時における上側筐体のがたつきを軽減することができる。
【００１５】
また、本発明の携帯端末装置において、上記第２の筐体が、突起に加え、上側筐体を回動させるときの上側筐体の上下方向の位置を案内する案内溝を有し、
前記第１の筐体が、垂直溝に加え、案内溝に入り込んで上側筐体を回動させるときの上側筐体の上下方向の位置を規制する案内ピンを有することも好ましい。
【００１６】
案内溝は、突起が備えられた第２の筐体側に設けられていてもよく、案内ピンは、垂直溝が設けられた第１の筐体に設けられていてもよい。
【００１７】
また、本発明の携帯端末装置において、上記案内溝が、左右対称に中央から左右に向かうに従って斜めに立ち上がる形状の溝であることが好適である。
【００１８】
この好適な携帯端末装置によると、上側筐体を左倒状態および右倒状態にスムーズに傾けることができる。
【００１９】
また、本発明の携帯端末装置において、上記案内溝が左右対称の２つの円弧状の溝が中央で接続した形状の溝であることも好ましい。
【００２０】
案内ピンと円弧状の案内溝を適用することによっても、上側筐体をスムーズに回動させることができる。
【００２１】
また、本発明の携帯端末装置において、下側筐体と中間筐体とをヒンジ接続しているヒンジ部に、上側筐体が、左倒状態、起立状態、および右倒状態のいずれかにあるときの上側筐体のヒンジ部側の面が突き当てられて上側筐体の上下方向の位置を規制する受け台を備えたことが好ましい。
【００２２】
受け台が備えられることによって、左倒状態、起立状態、および右倒状態における上側筐体のがたつきを抑えることができる。
【００２３】
また、本発明の携帯端末装置において、上記突起が中空突起であって、中空突起を貫通した、上側筐体と下側筐体とを接続する電気ケーブルを備えたことが好ましい。
【００２４】
携帯電話機などでは、上側筐体および下側筐体それぞれに、表示画面や操作子などといった電気部品が備えられているため、それら上側筐体と下側筐体とを電気ケーブルで接続する必要がある。電気ケーブルを中空突起を貫通させて配線することによって、電気ケーブルの長さを軽減することができるとともに、電気ケーブルの断線を防止することができる。
【００２５】
また、本発明の携帯端末装置において、上記案内ピンが中空ピンであって、中空ピンを貫通した、上側筐体と下側筐体とを接続する電気ケーブルを備えたことも好ましい。
【００２６】
電気ケーブルを中空ピンを貫通させて配線することによっても、電気ケーブルの断線などを防止することができる。
【００２７】
また、本発明の携帯端末装置において、下側筐体と中間筐体とをヒンジ接続しているヒンジ部の左右両端部に、上側筐体の、ヒンジ部側の端面との間に指先を入れて上側筐体を持上げる窪み部を有することが好ましい。
【００２８】
窪み部が設けられることによって、携帯端末装置を片手で把持したままで上側筐体を傾けることができる。
【００２９】
また、本発明の携帯端末装置において、上記案内溝は、上側筐体が左倒状態にあるときの上側筐体の右側の端縁が中間筐体の右端縁と同一面を成し、上側筐体が右倒状態にあるときの上側筐体の左側の端縁が中間筐体の左端縁と同一面を成すことが好ましい。
【００３０】
上側筐体を傾けたときに、上側筐体の端縁と中間筐体の端縁とが同一面を成すことによって、見た目の印象を向上させることができる。
【００３１】
また、本発明の携帯端末装置において、上記案内溝は、上側筐体が左倒状態にあるときの上側筐体の右側の端縁が中間筐体の右端縁よりも右側に突出し、上側筐体が右倒状態にあるときの上側筐体の左側の端縁が中間筐体の左端縁よりも左側に突出することも好ましい。
【００３２】
例えば、上側筐体を傾けたときに、上側筐体の端縁を中間筐体の端縁よりも突出させて、上側筐体全体を中央に寄せることによって、携帯端末装置を把持する際の安定感を増加させることができる。
【００３３】
また、本発明の携帯端末装置において、上記上側筐体が、起立状態にあるときの下側筐体の辺両側に窪みが設けられたものであり、
上記中間筐体が、
窪みに嵌入して左右方向に移動することにより、上側筐体を回動させる移動爪と、
移動爪どうしを左右方向に互いに引き合う向きに付勢する補助付勢部材と、
移動爪に干渉して移動爪の移動を制止する制止爪と、
押圧されることによって制止爪による移動爪の干渉を解除する操作子とを備えたものであることが好適である。
【００３４】
この好適な携帯端末装置によると、ユーザは操作子を押すだけで容易に上側筐体を傾けることができる。
【００３５】
また、本発明の携帯端末装置において、上記中間筐体が、左右方向に延びるラックギアを備えたものであり、
上記上側筐体が、起立状態にあるときの下側筐体の左右両隅に、ラックギアと噛み合うピニオンギアと、ピニオンギアを回転駆動することによって、上側筐体を回動させるモータとを備えたものであることも好ましい。
【００３６】
ユーザは、大きな力を加えずに上側筐体を傾けることができる。
【発明の効果】
【００３７】
本発明によれば、上側筐体の下端にカーブを設けることなく、上側筐体を左右に傾けることができる携帯端末装置を提供することができる。
【発明を実施するための最良の形態】
【００３８】
以下、図面を参照して本発明の実施の形態を説明する。
【００３９】
図１は、本発明の一実施形態が適用された携帯電話機の外観斜視図である。
【００４０】
図１に示す携帯電話機には、外部装置との間で音声や電子メールなどを送受信するデータ通信機能に加えて、被写体を撮影する撮影機能や、テレビ番組を閲覧するためのテレビ機能などが搭載されている。
【００４１】
携帯電話機は、液晶パネル１０１が設けられた上側筐体１００Ａと、ユーザが手で持つ下側筐体１００Ｂと、下側筐体１００Ｂにヒンジ接続された中間筐体１００Ｃとで構成されている。上側筐体１００Ａは、中間筐体１００Ｃに対して左右方向に回動自在に支持されており、上側筐体１００Ａおよび中間筐体１００Ｃは、下側筐体１００Ｂに対して一体的に開閉される。上側筐体１００Ａは、本発明にいう上側筐体の一例にあたり、下側筐体１００Ｂは、本発明にいう下側筐体の一例にあたり、中間筐体１００Ｃは、本発明にいう中間筐体の一例に相当する。これら上側筐体１００Ａ、下側筐体１００Ｂ、および中間筐体１００Ｃの構成については、後で詳しく説明する。
【００４２】
上側筐体１００Ａには、電話番号やテレビ番組や撮影画像などが表示される液晶パネル１０１、および内部にスピーカ（図２参照）が配備され、スピーカから発せられる音声を放つための送話口１０２が備えられており、下側筐体１００Ｂには、各種機能の選択や、撮影を行う際のシャッタボタンとして使用される選択ボタン１０４、電話番号等を入力するためのプッシュボタン１０５、および内部にマイクロフォン（図２参照）が配備され、声をマイクロフォンに伝えるための受話口１０６が備えられている。
【００４３】
続いて、携帯電話機の内部構造について説明する。
【００４４】
図２は、携帯電話機の内部ブロック図である。
【００４５】
図２には、ＣＰＵ１１０、ＲＯＭ１１１、不揮発メモリ１１２、ＲＡＭ１１３、マイクデバイス１２１、表示デバイス１２２、スピーカデバイス１２３、キーデバイス１２４、カメラデバイス１２５、時計１２６、近距離デバイス１３１、遠距離デバイス１３２、テレビデバイス１３３、メディアコントローラ１４０、および充電池１５０が示されており、これらの間はバスを介して互いに接続されている。
【００４６】
ＣＰＵ１１０は、各種プログラムを実行する機能を有し、この携帯電話機の全体を制御している。
【００４７】
ＲＯＭ１１１には、ＣＰＵ１１０で実行される各種プログラムやそれら各種プログラムの実行に必要な各種定数が記憶されており、ＣＰＵ１１０は、ＲＯＭ１１１に記憶されたプログラムをＲＡＭ１１３を作業領域として使いながら実行する。
【００４８】
不揮発メモリ１１２には、アドレス帳や受信した電子メールなど、書き換えられることがありうる各種情報が記録されている。
【００４９】
マイクデバイス１２１は、ユーザの声をピックアップするマイクロホンおよびそのマイクロホンでピックアップされた声を処理する機能ブロックである。
【００５０】
スピーカデバイス１２３は、ユーザに向けて音声を出力するスピーカ、およびそのスピーカを駆動する音声信号を生成する機能ブロックである。
【００５１】
カメラデバイス１２５は、写真撮影による画像データの収集を司るブロックであり、表示デバイス１２２は、液晶パネル１０１（図１参照）への画像表示を司るブロックであり、キーデバイス１２４は、ユーザによる各種キー操作を検出するブロックであり、時計１２６は、現在時刻を取得するためのブロックである。
【００５２】
メディアコントローラ１４０は、装填された記録メディア１４１からデータを読み出したり、カメラデバイス１２５で生成された画像データ等を記録メディア１４１に書き込むためのものである。
【００５３】
近距離デバイス１３１は、近距離にある外部装置に、画像や電話番号などを基地局（図示しない）を介さずに赤外線通信によって送信するためのものである。
【００５４】
遠距離デバイス１３２は、基地局（図示しない）を介して通話や電子メールの送受信などを行うためのものである。
【００５５】
テレビデバイス１３３は、アンテナで受信した電波をチューナでデジタルの番組データに変換し、番組データが表わす番組を液晶パネル１０１（図１参照）に表示させるブロックである。
【００５６】
本実施形態の携帯電話機は、基本的には以上のように構成されている。
【００５７】
続いて、上側筐体１００Ａ，下側筐体１００Ｂ、および中間筐体１００Ｃについて詳しく説明する。尚、以下では、上側筐体１００Ａおよび中間筐体１００Ｃを下側筐体１００Ｂに対して開いた状態において、液晶パネル１０１が設けられた側を表、液晶パネル１０１が設けられた側の裏側を裏と称して説明する。
【００５８】
図３は、上側筐体１００Ａが取り外された状態における下側筐体１００Ｂと中間筐体１００Ｃの表面側を示す図であり、図４は、上側筐体１００Ａの裏面側を示す図である。
【００５９】
図３に示すように、下側筐体１００Ｂと中間筐体１００Ｃは、ヒンジ部２００において折り畳み自在に連結されている。ヒンジ部２００には、上側筐体１００Ａが突き当てられる突当台２０１が形成されており、中間筐体１００Ｃの表面側には、上下方向に延びる上下溝２１０が設けられている。ヒンジ部２００は、本発明にいうヒンジ部の一例にあたり、上下溝２１０は、本発明にいう垂直溝の一例に相当する。また、突当台２０１は、本発明にいうガイドの一例にあたるとともに、本発明にいう受け台の一例にも相当する。尚、この例では、中間筐体１００Ｃが本発明にいう第１の筐体の一例にあたる。
【００６０】
また、図４に示すように、上側筐体１００Ａの裏面側には、貫通孔３１１が設けられた中空の突起３１０が設けられている。突起３１０は、本発明にいう突起の一例にあたり、この例では、上側筐体１００Ａが本発明にいう第２の筐体の一例に相当する。
【００６１】
図４に示す上側筐体１００Ａの突起３１０が、図３に示す中間筐体１００Ｃの上下溝２１０に嵌め込まれることによって、上側筐体１００Ａが中間筐体１００Ｃに回動自在に支持される。
【００６２】
図５は、携帯電話機の透視図である。
【００６３】
図５に示すように、中間筐体１００Ｃの上下溝２１０に上側筐体１００Ａの突起３１０が入り込んでおり、突起３１０の貫通孔３１１には、上側筐体１００Ａと下側筐体１００Ｂとを電気的に接続する電気ケーブル４１０が貫通している。電気ケーブル４１０は、本発明にいう電気ケーブルの一例に相当する。
【００６４】
図２に示すＣＰＵ１１０は下側筐体１００Ｂに備えられており、スピーカデバイス１２３、カメラデバイス１２５、および表示デバイス１２２などは上側筐体１００Ａに備えられているため、ＣＰＵ１１０と各種要素との間で指示や各種データをやり取りするために、上側筐体１００Ａと下側筐体１００Ｂとが電気的に接続されている必要がある。本実施形態の携帯電話機では、電気ケーブル４１０が突起３１０の貫通孔３１１を貫通することによって、配線の複雑化が回避されており、電気ケーブルを短くすることができるとともに、電気ケーブルの断線を防止することができる。
【００６５】
また、この携帯電話機には、上側筐体１００Ａを下側筐体１００Ｂに向けて下向きに付勢するバネ４２０も備えられている。バネ４２０は、本発明にいう付勢部材の一例に相当する。
【００６６】
図６は、上側筐体１００Ａを下側筐体１００Ｂに対して傾ける動作を示す図である。
【００６７】
尚、図６では、図を見やすくするために、図５に示す電気ケーブル４１０やバネ４２０などの図示を省いている。
【００６８】
上側筐体１００Ａが下側筐体１００Ｂに対して傾けられていない起立状態においては（図６のステップＳ１１）、図５に示すバネ４２０が上側筐体１００Ａを下側筐体１００Ｂに向けて下向きに付勢しており、上側筐体１００Ａは下側筐体１００Ｂに対して縦向きに維持される。また、上側筐体１００Ａの下側が突当台２０１に突き当てられることにより、上側筐体１００Ａのガタツキが軽減される。
【００６９】
尚、本実施形態では、図６のステップＳ１１に示す起立状態において、上側筐体１００Ａと中間筐体１００Ｃの幅が揃えられており、突起３１０が上下溝２１０の最下位置にくるように設計されている。
【００７０】
上側筐体１００Ａを左側に傾けると、まず、突起３１０が上下溝２１０に案内されて上方向に移動しながら回転する（図６のステップＳ１２）。はじめは、図５に示すバネ４２０によって、上側筐体１００Ａが起立状態（図６のステップＳ１１）に維持される方向に付勢されるが、その付勢力に逆らってさらに上側筐体１００Ａを傾けると、４５度程度傾けたあたりからは、上側筐体１００Ａが回転方向と同じ方向に付勢される。その結果、上側筐体１００Ａは、左下隅が突当台２０１によって案内されるとともに、突起３１０が上下溝２１０に案内されて下方向に移動しながら回転することにより（図６のステップＳ１２）、下側筐体１００Ｂに対して左側に倒れる（図６のステップＳ１３）。
【００７１】
ステップＳ１３に示す左倒状態においては、上側筐体１００Ａの、下側筐体１００Ｂと対向する側の面１００１が突当台２０１に突き当てられており、さらに、バネ４２０によって上側筐体１００Ａが左倒状態を維持するように下向きに付勢されているため、左倒状態におけるガタツキも軽減される。また、左倒状態においては、上側筐体１００Ａの、右側の端縁１００２は、中間筐体１００Ｃの右側の端縁と同一面を成し、さらに、上側筐体１００Ａの、上側の端縁１００３は、中間筐体１００Ｃの上側の端縁と同一面を成している。
【００７２】
続いて、左倒状態（図６のステップＳ１３）から、ユーザが上側筐体１００Ａを右方向に回転させると、はじめは、図５に示すバネ４２０によって、上側筐体１００Ａが左倒状態に維持される方向に付勢されるが、起立状態に近づくにつれて、回転方向と同じ方向に付勢される。その結果、上側筐体１００Ａは、突当台２０１によって案内されながら回転し、起立状態に戻る。
【００７３】
また、ユーザが起立状態（図６のステップＳ１１）から上側筐体１００Ａを右側に傾けると（図６のステップＳ１４）、上側筐体１００Ａは、突起３１０が上下溝２１０に案内されるとともに、右下隅が突当台２０１によって案内され、下側筐体１００Ｂに対して右側に倒れる（図６のステップＳ１５）。
【００７４】
このように、本実施形態の携帯電話機によると、上側筐体１００Ａの下角に大きなカーブを設けることなく、上側筐体１００Ａを容易に下側筐体１００Ｂに対して左右に傾けることができる。このため、上側筐体１００Ａに大きな液晶パネル１０１を設けることができ、携帯電話機の把持性を維持したまま、画像を大きく表示して閲覧することができる。
【００７５】
以上で、本発明の第１実施形態の説明を終了し、本発明の第２実施形態について説明する。本発明の第２実施形態は、中間筐体１００Ｃに設けられた上下溝２１０の長さが第１実施形態とは異なるが、それ以外は第１実施形態と同じ構成を有しているため、同じ要素には同じ符号を付して説明を省略し、第１実施形態との相違点についてのみ説明する。
【００７６】
図７は、本実施形態の携帯電話機において、上側筐体１００Ａを下側筐体１００Ｂに対して傾ける動作を示す図である。
【００７７】
本実施形態の携帯電話機は、図６に示す第１実施形態の携帯電話機とほぼ同様の構成を有しているが、上下溝２１０´が第１実施形態の上下溝２１０よりも長く、図７のステップＳ２１に示す起立状態において（図７のステップＳ２１）、突起３１０が上下溝２１０´の中間位置にくるように設計されている。
【００７８】
上側筐体１００Ａが左側に傾けられると（図７のステップＳ２２）、第１実施形態と同様に、図５に示すバネ４２０によって上側筐体１００Ａが下向きに付勢され、突起３１０が上下溝２１０´に案内され、上側筐体１００Ａの左下隅が突当台２０１などによって案内される。
【００７９】
上側筐体１００Ａが下側筐体１００Ｂに対して左側に倒れた左倒状態では（図７のステップＳ２３）、図６に示す第１実施形態における左倒状態（図６のステップＳ１３）とは異なり、上側筐体１００Ａの右側の端縁１００４は、中間筐体１００Ｃの右側の端縁１００５と同一面を成しておらず、上側筐体１００Ａ全体が中央に寄せられている。
【００８０】
また、上側筐体１００Ａが右側に傾けられ（図７のステップＳ２４）、下側筐体１００Ｂに対して完全に右側に倒れた場合も（図７のステップＳ２５）、上側筐体１００Ａの左側の端縁１００６は、中間筐体１００Ｃの左側の端縁１００７と同一面を成しておらず、上側筐体１００Ａが中央に寄せられている。
【００８１】
このように、上側筐体１００Ａを左倒状態および右倒状態に傾けたときに、上側筐体１００Ａ全体を中央に寄せることによって、携帯電話機を把持したときの安定感を向上させることができる。
【００８２】
以上で、本発明の第２実施形態の説明を終了し、本発明の第３実施形態について説明する。本発明の第３実施形態は、ヒンジ部２００の形状が第１実施形態とは異なるが、それ以外は第１実施形態と同じ構成を有しているため、第１実施形態との相違点についてのみ説明する。
【００８３】
図８は、本実施形態の携帯電話機における上側筐体１００Ａと中間筐体１００Ｃの正面図および側面図であり、図９は、本実施形態の携帯電話機における上側筐体１００Ａと中間筐体１００Ｃの斜視図である。
【００８４】
図８に示すように、本実施形態では、中間筐体１００Ｃのヒンジ部２００の左右両端部に窪み部５２０が設けられている。窪み部５２０は、本発明にいう窪み部の一例に相当する。
【００８５】
また、図９に示すように、窪み部５２０は、上側筐体１００Ａと突当台２０１との間に設けられた隙間である。上述したように、上側筐体１００Ａが下側筐体１００Ｂに対して４５度程度傾けられると、図５に示すバネ４２０の付勢力によって、上側筐体１００Ａが左倒状態および右倒状態まで自動的に回転するため、ユーザは、携帯電話機を片手で把持し、窪み部５２０に指先を入れて上側筐体１００Ａを押し上げるだけで、容易に上側筐体１００Ａを横向きに倒すことができる。
【００８６】
以上で、本発明の第３実施形態の説明を終了し、本発明の第４実施形態について説明する。本発明の第４実施形態についても、第１実施形態と同じ要素については同じ符号を付して説明を省略し、第１実施形態との相違点についてのみ説明する。
【００８７】
図１０は、本実施形態における携帯電話機の透視図である。
【００８８】
図１０（Ａ）には、携帯電話機を正面から見たときの透視図が示されており、図１０（Ｂ）には、携帯電話機を側面から見たときの透視図が示されている。
【００８９】
図１０に示す本実施形態の携帯電話機では、図５に示す第１実施形態の携帯電話機と同様に、上側筐体１００Ａがバネ４２０によって下向きに付勢されており、さらに、中間筐体１００Ｃに設けられた上下溝２１０に上側筐体１００Ａの突起３１０が入り込むことによって、上側筐体１００Ａが中間筐体１００Ｃに回転自在に支持されている。また、本実施形態の携帯電話機は、ユーザが中間筐体１００Ｃの左右両端に設けられたボタン６１１を押すことによって、上側筐体１００Ａが左右それぞれに回転する。
【００９０】
図１１は、図１０に示す携帯電話機の、ボタン６１１付近の拡大図である。
【００９１】
図１１（Ａ）には、携帯電話機の、ボタン６１１付近の側面図が示されており、図１１（Ｂ）には、ボタン６１１付近を正面から見たときの透視図が示されており、図１１（Ｃ）には、ボタン６１１付近を側面から見たときの断面図が示されている。尚、本実施形態の携帯電話機には、上側筐体１００Ａを左側に傾けるための左側要素と、上側筐体１００Ａを右側に傾けるための右側要素とが備えられているが、左側要素と右側要素とは同じ構成を有しているため、以下では、それらを代表して左側要素についてのみ説明する。
【００９２】
中間筐体１００Ｃには、ボタン６１１から延びるボタン爪６１３と、ボタン爪６１３をボタン６１１に向けて引っ張るボタンバネ６１２と、ボタン爪６１３によって押されることによって、軸６１６を中心に下向きに回転するレバー６１４と、レバー６１４を上向きに付勢する板バネ６１５と、レバー６１４の先端に設けられたロック爪６１７と、ロック爪６１７によって移動が制止される移動爪６１８と、移動爪６１８を軸６１６方向に向けて引っ張る引っ張りバネ６１９が備えられており、上側筐体１００Ａには、上側筐体１００Ａが起立状態において、移動爪６１８が嵌入される起立穴６２１と、上側筐体１００Ａが左倒状態において、移動爪６１８が嵌入される倒穴６２２が設けられている。
【００９３】
ボタン６１１が押されていない状態においては、移動爪６１８は引っ張りバネ６１９によって軸６１６方向（図の右方向）に引っ張られているが、移動爪６１８は、ロック爪６１７によってロックされ、さらに上側筐体１００Ａの起立穴６２１に嵌入されることによって、移動が制止されている。また、図５に示すバネ４２０によって上側筐体１００Ａが下方向に付勢されることによって、上側筐体１００Ａが起立状態に維持される。
【００９４】
図１２は、ボタン６１１を押したときの動作を示す図であり、図１３および図１４は、上側筐体１００Ａの回転動作を示す図である。
【００９５】
ユーザがボタン６１１を押すと、図１２に示すように、レバー６１４がボタン爪６１３に押されることによって、レバー６１４が軸６１６を中心に下方向に回転され、ロック爪６１７が下がって移動爪６１８を制止していたロックが解除される。ロックが解除されると、移動爪６１８は、上側筐体１００Ａの起立穴６２１に嵌入されたまま、引っ張りバネ６１９によって右方向に引っ張られる。その結果、図１３に示すように、引っ張りバネ６１９による引っ張り力Ａが、バネ４２０（図５参照）による起立状態を維持する方向の付勢力Ｂよりも勝って、突起３１０が上下溝２１０にガイドされて上方向に移動されながら、上側筐体１００Ａが左側に回転される。
【００９６】
ここで、図１２に示すレバー６１４は板バネ６１５によって上方向に付勢されているため、ボタン６１１が押されることによってレバー６１４が下方向に移動され、ロックが解除されて移動爪６１８がロック爪６１７を乗り越えると、レバー６１４は上方向に移動されて、ボタン６１０が元の状態に戻される。
【００９７】
また、上側筐体１００Ａが４５度程度回転されると、図１２に示す移動爪６１８は上側筐体１００Ａの起立穴６２１から外れてしまい、上側筐体１００Ａを右方向に引っ張る力はなくなるが、図１４に示すように、バネ４２０（図５参照）が上側筐体１００Ａを回転方向と同じ下向きに付勢することによって、上側筐体１００Ａが左倒状態まで回転される。左倒状態まで回転されると、移動爪６１８が上側筐体１００Ａの倒穴６２２に嵌入されて、移動が制止される。
【００９８】
このように、本実施形態の携帯電話機によると、ユーザはボタン６１０を押すだけで容易に上側筐体１００Ａを傾けることができる。
【００９９】
左倒状態から起立状態に戻す際には、ユーザが上側筐体１００Ａを上方向にスライドさせ、さらに右方向に回転させると、移動爪６１８が上側筐体１００Ａの倒穴６２２から外れて引っ張りバネ６１９による引っ張り力に逆らって左側に移動され、起立状態において移動爪６１８が起立穴６２１に嵌入される。
【０１００】
以上で、本発明の第４実施形態の説明を終了し、本発明の第５実施形態について説明する。本発明の第５実施形態は、上側筐体１００Ａおよび下側筐体１００Ｂに、上側筐体１００Ａを自動的に傾けるためのモータなどが備えられているが、それ以外は第１実施形態と同様の構成を有しているため、第１実施形態との相違点についてのみ説明する。
【０１０１】
図１５は、本実施形態の携帯電話機における上側筐体を示す図であり、図１６は、本実施形態の携帯電話機における中間筐体を示す図である。
【０１０２】
図１５に示すように、本実施形態の携帯電話機には、図４に示す第１実施形態と同様の突起３１０が設けられており、さらに、上側筐体１００Ａの下側には、ピニオンギア７１２と、ピニオンギア７１２を回転駆動させるモータ７１１と、上側筐体１００Ａを左右それぞれに傾けるための傾けボタン７００が備えられている。
【０１０３】
また、図１６に示すように、本実施形態の携帯電話機には、図３に示す第１実施形態と同様の上下溝２１０が設けられており、さらに、上側筐体１００Ａの２つのピニオンピニオンギア７１２それぞれが噛み合うラックギア７２０が備えられている。
【０１０４】
図１７は、本実施形態の携帯電話機において、上側筐体１００Ａを下側筐体１００Ｂに対して傾ける動作を示す図である。
【０１０５】
本実施形態においては、上側筐体１００Ａが起立状態においては（図１７のステップＳ３１）、突起３１０は上下溝２１０の下側に配置されており、上側筐体１００Ａに設けられた２つのピニオンギア７１２が中間筐体１００Ｃに設けられたラックギア７２０と噛み合っている。
【０１０６】
ユーザが上側筐体１００Ａを左側に傾けるための傾けボタン７００を押すと、図２に示すＣＰＵ１１０からモータ７１１に駆動指示が伝えられ、モータ７１１が右方向に回転駆動する。その結果、２つのピニオンギア７１２が回転されてラックギア７２０に沿って右方向に移動され、右側のピニオンギア７１２がラックギア７２０から外れた後、突起３１０が上下溝２１０に案内されるとともに、左側のピニオンギア７１２がラックギア７２０に案内されることにより、上側筐体１００Ａが左方向に回転される（図１７のステップＳ３２）。
【０１０７】
上側筐体１００Ａが左方向に傾くと、上側筐体１００Ａが突当台２０１によって突き当てられて、ピニオンギア７１２の移動が停止される（図１７のステップＳ３３）。
【０１０８】
また、ユーザによって上側筐体１００Ａを右側に傾けるための傾けボタン７００が押されると、モータ７１１が左方向に回転駆動することによって、２つのピニオンギア７１２が左方向に移動され、左側のピニオンギア７１２がラックギア７２０から外れた後、上側筐体１００Ａが右方向に回転される（図１７のステップＳ３４）。上側筐体１００Ａが右倒状態まで傾けられると、移動が停止される（図１７のステップＳ３５）。
【０１０９】
このように、本実施形態の携帯電話機によると、ユーザは傾けボタン７００を押すだけで、大きな力を必要とせずに上側筐体を傾けることができる。
【０１１０】
以上で、本発明の第５実施形態の説明を終了し、本発明の第６実施形態について説明する。本発明の第６実施形態についても、第１実施形態と同じ要素については同じ符号を付して説明を省略し、第１実施形態との相違点についてのみ説明する。
【０１１１】
図１８は、本実施形態の携帯電話機における中間筐体１００Ｃの表面側を示す図である。
【０１１２】
図１８に示すように、本実施形態の中間筐体１００Ｃには、図３に示す第１実施形態の中間筐体１００Ｃと同様に、上下方向に延びる上下溝２１０が設けられており、さらに、上下溝２１０の下側に、左右方向に広がるＶ字溝２１１が設けられている。Ｖ字溝は、本発明にいう案内溝の一例に相当する。
【０１１３】
図１９は、本実施形態の携帯電話機における上側筐体１００Ａの裏面側を示す図である。
【０１１４】
図１９に示すように、本実施形態の上側筐体１００Ａには、図４に示す第１実施形態の上側筐体１００Ａと同様に、上下溝２１０に嵌入する突起３１０が設けられており、さらに、Ｖ字溝２１１に嵌め込まれる補助突起３１２も備えられている。補助突起３１２は、本発明にいう案内ピンの一例に相当する。
【０１１５】
図２０は、上側筐体１００Ａ、下側筐体１００Ｂ、および中間筐体１００Ｃの透視図である。
【０１１６】
本実施形態の携帯電話機においても、突起３１０と接続されて上側筐体１００Ａを下方向に付勢するバネ４２０が備えられている。また、本実施形態においては、補助突起３１２に貫通孔が設けられており、上側筐体１００Ａと下側筐体１００Ｂとを電気的に接続する電気ケーブル４１０が補助突起３１２の貫通孔を貫通して配線されている。電気ケーブル４１０が補助突起３１２の貫通孔を貫通することによっても、電気ケーブルの断線等を防止することができる。
【０１１７】
図２１は、本実施形態の携帯電話機における各種寸法を示す図である。
【０１１８】
本実施形態の携帯電話機では、図２１（Ａ）に示す左倒状態において、上側筐体１００Ａの右縁から突起３１０の中心までの間の距離Ｂ１が、上側筐体１００Ａの下縁から上下溝２１０の中心までの距離Ｂ２と等しく、突起３１０の中心から補助突起３１２の中心までの距離Ｃ１が、突起３１０の中心から図２０（Ｂ）に示す起立状態における補助突起３１２の中心までの距離Ｃ２と等しく形成されている。また、上側筐体１００Ａをスムーズに回転させるために、上側筐体１００Ａの下縁と突当台２０１との間に隙間Ａがあけられている。このような寸法の上側筐体および中間筐体を適用することによって、左倒状態において、上側筐体１００Ａの右縁を中間筐体１００Ｃの右縁と合わせ、右倒状態において、上側筐体１００Ａの左縁を中間筐体１００Ｃの左縁と合わせ、さらに、それら左倒状態および右倒状態において、上側筐体１００Ａの上縁と中間筐体１００Ｃの上縁とを合わせることができる。
【０１１９】
図２２は、上側筐体１００Ａを下側筐体１００Ｂに対して傾ける動作を示す図である。
【０１２０】
上側筐体１００Ａが起立状態においては（図２２のステップＳ４１）、図２１（Ｂ）にも示すように、突起３１０が上下溝２１０の最下位置にあり、補助突起３１２はＶ字溝２１１の最下位置にきている。
【０１２１】
ユーザが上側筐体１００Ａを左側に傾けると、まず、突起３１０が上下溝２１０に案内されて上方向に移動するとともに、補助突起３１２がＶ字溝２１１の右側の溝に沿って上方向に移動し、上側筐体１００Ａが図２０に示すバネ４２０の付勢力に逆らって、左方向に回転し始める（図２２のステップＳ４２）。
【０１２２】
上側筐体１００Ａが４５度程度回転されると、バネ４２０によって、上側筐体１００Ａが回転方向と同じ方向に付勢され、上側筐体１００Ａは、下角が突当台２０１によって案内されながら回転されて、下側筐体１００Ｂに対して左側に倒れる（図２２のステップＳ４３）。
【０１２３】
また、ユーザが上側筐体１００Ａを右側に傾けると（図２２のステップＳ４４）、上側筐体１００Ａは、突起３１０が上下溝２１０に案内されるとともに、補助突起３１２がＶ字溝２１１の左側の溝に沿って案内されながら右方向に回転され、下側筐体１００Ｂに対して右側に倒れる（図２２のステップＳ４５）。このように、上下溝２１０に加えて、Ｖ字溝２１１が設けられることによって、よりスムーズに上側筐体１００Ａを傾けることができる。
【０１２４】
以上で、本発明の第６実施形態の説明を終了し、本発明の第７実施形態について説明する。本発明の第７実施形態は、本発明の第６実施形態と上下溝２１０の寸法などは異なるが、第６実施形態とほぼ同様の構成を有しているため、第６実施形態との相違点についてのみ説明する。
【０１２５】
図２３は、本実施形態の携帯電話機における各種寸法を示す図である。
【０１２６】
本実施形態の携帯電話機では、図２３（Ａ）に示す左倒状態において、中間筐体１００Ｃの右縁から上側筐体１００Ａの右縁までの間を距離β、突起３１０の中心から補助突起３１２の中心までの間を距離Ｊとしたときに、上側筐体１００Ａの右縁から突起３１０の中心までの間の間を距離（Ｈ＋β）とし、突起３１０の中心から図２３（Ｂ）に示す起立状態における補助突起３１２の中心までの間を距離（Ｊ−β）とする。また、上側筐体１００Ａをスムーズに回転させるために、上側筐体１００Ａの下縁と突当台２０１との間に隙間Ｄが設けられている。このような寸法で上側筐体および中間筐体を形成することによって、左倒状態および右倒状態において、上側筐体１００Ａを中央に寄せることができ、ユーザが携帯電話機を把持する際の安定性を向上させることができる。
【０１２７】
図２４は、上側筐体１００Ａを下側筐体１００Ｂに対して傾ける動作を示す図である。
【０１２８】
上側筐体１００Ａが起立状態においては（図２４のステップＳ５１）、図２３（Ｂ）にも示すように、突起３１０が上下溝２１０の中央位置にあり、補助突起３１２はＶ字溝２１１の最下位置にきている。
【０１２９】
ユーザが上側筐体１００Ａを左側に傾けると、突起３１０が上下溝２１０に案内され、補助突起３１２がＶ字溝２１１の右側の溝に沿って案内されることによって、上側筐体１００Ａが左方向に回転する（図２４のステップＳ５２）。
【０１３０】
上側筐体１００Ａが左倒状態まで回転されると（図２４のステップＳ５３）、上側筐体１００Ａが突当台２０１によって干渉され、移動が停止される。
【０１３１】
また、上側筐体１００Ａを右側に傾けると（図２４のステップＳ５４）、上側筐体１００Ａは、突起３１０が上下溝２１０に案内されるとともに、補助突起３１２がＶ字溝２１１の左側の溝に沿って案内されながら右方向に回転されることにより、下側筐体１００Ｂに対して右側に倒れる（図２４のステップＳ５５）。
【０１３２】
このように、本実施形態の携帯電話機によると、上側筐体を傾けたときに、上側筐体を中央に寄せることができる。
【０１３３】
以上で、本発明の第７実施形態の説明を終了し、本発明の第８実施形態について説明する。本発明の第８実施形態は、中間筐体と上側筐体との間の隙間の寸法などを除いては、本発明の第７実施形態とほぼ同様の構成を有しているため、第７実施形態との相違点についてのみ説明する。
【０１３４】
図２５は、本実施形態の携帯電話機における各種寸法を示す図である。
【０１３５】
本実施形態の携帯電話機では、図２５（Ａ）に示す左倒状態における中間筐体１００Ｃの右縁から上側筐体１００Ａの右縁までの間を距離α、突起３１０の中心から補助突起３１２の中心までの間を距離Ｆ、図２５（Ｂ）に示す起立状態における上側筐体１００Ａの下縁と突当台２０１との間の隙間を距離Ｄとしたときに、図２５（Ａ）に示す左倒状態において、上側筐体１００Ａの右縁から突起３１０の中心までの間の間を距離（Ｅ＋α）とし、突起３１０の中心から図２５（Ｂ）に示す起立状態における補助突起３１２の中心までの間を距離Ｆとする。本実施形態の携帯電話機によると、上側筐体１００Ａを左傾状態や右傾状態に傾けたときに、上側筐体１００Ａを中央に寄せることができるとともに、上側筐体１００Ａを上方に持ち上げることができる。
【０１３６】
以上で、本発明の第８実施形態の説明を終了し、本発明の第９実施形態について説明する。本発明の第９実施形態についても、第１実施形態と同じ要素については同じ符号を付して説明を省略し、第１実施形態との相違点についてのみ説明する。
【０１３７】
図２６は、本実施形態の携帯電話機において、中間筐体１００Ｃの表面側を示す図である。
【０１３８】
図２６に示すように、本実施形態の中間筐体１００Ｃには、図３に示す第１実施形態の中間筐体１００Ｃと同様に、上下方向に延びる上下溝２１０が設けられており、さらに、上側筐体１００Ｂに向けて突出する補助突起３１３が備えられている。この補助突起３１３も、本発明にいう案内ピンの一例にあたる。
【０１３９】
図２７は、本実施形態の携帯電話機において、上側筐体１００Ａの裏面側を示す図である。
【０１４０】
本実施形態の上側筐体１００Ａには、図４に示す第１実施形態の上側筐体１００Ａと同様に、上下溝２１０に嵌入する突起３１０が設けられており、さらに、補助突起３１３が嵌め込まれる円弧溝２１２も備えられている。円弧溝２１２は、左右対称の２つの円弧状の溝が中央で連結された形状を有している。この円弧溝２１２も、本発明にいう案内溝の一例に相当する。
【０１４１】
図２８は、上側筐体１００Ａを下側筐体１００Ｂに対して傾ける動作を示す図である。
【０１４２】
上側筐体１００Ａが起立状態においては（図２８のステップＳ６１）、突起３１０が上下溝２１０の最下位置にあり、円弧溝２１２の中心位置に補助突起３１３が嵌め込まれている。
【０１４３】
ユーザが上側筐体１００Ａを左側に傾けると、まず、突起３１０が上下溝２１０に案内されて上方向に移動するとともに、円弧溝２１２の左側の溝が補助突起３１３を嵌入したままスライドし、上側筐体１００Ａが左方向に回転する（図２８のステップＳ６２）。
【０１４４】
上側筐体１００Ａが下側筐体１００Ｂに対して左側に倒れた左倒状態においては（図２８のステップＳ６３）、突起３１０が上下溝２１０の最下位置に移動され、補助突起３１３は円弧溝２１２の左側の溝の先端に嵌め込まれている。
【０１４５】
また、ユーザが上側筐体１００Ａを右側に傾けると（図２８のステップＳ６４）、上側筐体１００Ａは、突起３１０が上下溝２１０に案内されるとともに、補助突起３１３を嵌入したまま円弧溝２１２の右側の溝がスライドし、下側筐体１００Ｂに対して右側に倒れる（図２８のステップＳ６５）。このように、Ｖ字溝に替えて円弧溝を適用することによっても、上側筐体をスムーズに傾けることができる。また、補助突起を溝に沿って移動させるのではなく、補助突起が嵌入された状態で溝をスライドさせることによっても、上側筐体を回転させることができる。
【０１４６】
ここで、上記では、本発明の携帯端末装置を携帯電話に適用する例について説明したが、本発明の携帯端末装置は、ＰＤＡなどに適用してもよい。
【０１４７】
また、上記では、上下溝を中間筐体に設け、突起を上側筐体に設ける例について説明したが、本発明にいう垂直溝は、中間筐体ではなく上側筐体に設けてもよく、本発明に突起は、上側筐体ではなく中間筐体に設けてもよい。
【０１４８】
また、本発明にいうヒンジ部は、中間筐体や下部筐体に一体構成されたものであってもよく、ヒンジモジュールとして筐体とは別体構成されたものであってもよい。
【０１４９】
以下、本発明の各種形態について付記する。
【０１５０】
（付記１）
下側筐体と、
上側筐体と、
前記下側筐体にヒンジ接続されるとともに前面で前記上側筐体背面を支持して該下側筐体に対して該上側筐体と一体的に開閉する中間筐体とを備え、
前記上側筐体と前記中間筐体とのうちの一方である第１の筐体が、該上側筐体と該中間筐体とのうちの他方である第２の筐体に向いた面に、上下に延びる垂直溝を有し、
前記第２の筐体が、前記第１の筐体に向いた面から突出して前記垂直溝に入り込んで該垂直溝に案内される突起を備え、
前記垂直溝と前記突起とにより、前記上側筐体を、該上側筐体が左に倒れた左倒状態と右に倒れた右倒状態との間で、該左倒状態と該右倒状態との中間の起立状態を経由して回動させる回動機構が構成されていることを特徴とする携帯端末装置。
【０１５１】
（付記２）
前記上側筐体と前記中間筐体との間に、前記上側筐体を下に付勢する付勢部材を備えたことを特徴とする付記１記載の携帯端末装置。
【０１５２】
（付記３）
前記下側筐体と前記中間筐体とをヒンジ接続しているヒンジ部に、前記上側筐体を回動させるときに該上側筐体と摺動して該上側筐体を案内するガイドを備えたことを特徴とする付記１記載の携帯端末装置。
【０１５３】
（付記４）
前記第１の筐体が、前記垂直溝に加え、前記上側筐体を回動させるときの該上側筐体の上下方向の位置を案内する案内溝を有し、
前記第２の筐体が、前記突起に加え、前記案内溝に入り込んで前記上側筐体を回動させるときの該上側筐体の上下方向の位置を規制する案内ピンを有することを特徴とする付記１記載の携帯端末装置。
【０１５４】
（付記５）
前記第２の筐体が、前記突起に加え、前記上側筐体を回動させるときの該上側筐体の上下方向の位置を案内する案内溝を有し、
前記第１の筐体が、前記垂直溝に加え、前記案内溝に入り込んで前記上側筐体を回動させるときの該上側筐体の上下方向の位置を規制する案内ピンを有することを特徴とする付記１記載の携帯端末装置。
【０１５５】
（付記６）
前記案内溝が、左右対称に中央から左右に向かうに従って斜めに立ち上がる形状の溝であることを特徴とする付記４又は５記載の携帯端末装置。
【０１５６】
（付記７）
前記案内溝が左右対称の２つの円弧状の溝が中央で接続した形状の溝であることを特徴とする付記４又は５記載の携帯端末装置。
【０１５７】
（付記８）
前記下側筐体と前記中間筐体とをヒンジ接続しているヒンジ部に、前記上側筐体が、前記左倒状態、前記起立状態、および前記右倒状態のいずれかにあるときの該上側筐体の該ヒンジ部側の面が突き当てられて該上側筐体の上下方向の位置を規制する受け台を備えたことを特徴とする付記１記載の携帯端末装置。
【０１５８】
（付記９）
前記突起が中空突起であって、該中空突起を貫通した、前記上側筐体と前記下側筐体とを接続する電気ケーブルを備えたことを特徴とする付記１記載の携帯端末装置。
【０１５９】
（付記１０）
前記案内ピンが中空ピンであって、該中空ピンを貫通した、前記上側筐体と前記下側筐体とを接続する電気ケーブルを備えたことを特徴とする付記４又は５記載の携帯端末装置。
【０１６０】
（付記１１）
前記下側筐体と前記中間筐体とをヒンジ接続しているヒンジ部の左右両端部に、前記上側筐体の、該ヒンジ部側の端面との間に指先を入れて該上側筐体を持上げる窪み部を有することを特徴とする付記１記載の携帯端末装置。
【０１６１】
（付記１２）
前記案内溝は、前記上側筐体が左倒状態にあるときの該上側筐体の右側の端縁が前記中間筐体の右端縁と同一面を成し、該上側筐体が右倒状態にあるときの該上側筐体の左側の端縁が前記中間筐体の左端縁と同一面を成すことを特徴とする付記４又は５記載の携帯端末装置。
【０１６２】
（付記１３）
前記案内溝は、前記上側筐体が左倒状態にあるときの該上側筐体の右側の端縁が前記中間筐体の右端縁よりも右側に突出し、該上側筐体が右倒状態にあるときの該上側筐体の左側の端縁が前記中間筐体の左端縁よりも左側に突出することを特徴とする付記４又は５記載の携帯端末装置。
【０１６３】
（付記１４）
前記上側筐体が、前記起立状態にあるときの前記下側筐体の辺両側に窪みが設けられたものであり、
前記中間筐体が、
前記窪みに嵌入して左右方向に移動することにより、前記上側筐体を回動させる移動爪と、
前記移動爪どうしを前記左右方向に互いに引き合う向きに付勢する補助付勢部材と、
前記移動爪に干渉して該移動爪の移動を制止する制止爪と、
押圧されることによって該制止爪による前記移動爪の干渉を解除する操作子とを備えたものであることを特徴とする付記１記載の携帯端末装置。
【０１６４】
（付記１５）
前記中間筐体が、左右方向に延びるラックギアを備えたものであり、
前記上側筐体が、前記起立状態にあるときの前記下側筐体の左右両隅に、前記ラックギアと噛み合うピニオンギアと、該ピニオンギアを回転駆動することによって、該上側筐体を回動させるモータとを備えたものであることを特徴とする付記１記載の携帯端末装置。
【図面の簡単な説明】
【０１６５】
【図１】本発明の一実施形態が適用された携帯電話機の外観斜視図である。
【図２】携帯電話機の内部ブロック図である。
【図３】上側筐体が取り外された状態における下側筐体と中間筐体の表面側を示す図である。
【図４】上側筐体の裏面側を示す図である。
【図５】上側筐体、下側筐体、および中間筐体の透視図である。
【図６】上側筐体を下側筐体に対して傾ける動作を示す図である。
【図７】第２実施形態の携帯電話機において、上側筐体を下側筐体に対して傾ける動作を示す図である。
【図８】第３実施形態の携帯電話における上側筐体と中間筐体の正面図および側面図である。
【図９】上側筐体と中間筐体の斜視図である。
【図１０】第４実施形態における携帯電話機の透視図である。
【図１１】携帯電話機の、ボタン付近の拡大図である。
【図１２】ボタンを押したときの動作を示す図である。
【図１３】上側筐体の回転動作を示す図である。
【図１４】ボタンを押したときの動作を示す図である。
【図１５】第５実施形態の携帯電話機における上側筐体を示す図である。
【図１６】携帯電話機における中間筐体を示す図である。
【図１７】上側筐体を下側筐体に対して傾ける動作を示す図である。
【図１８】第６実施形態の携帯電話機における中間筐体の表面側を示す図である。
【図１９】中間筐体の表面側を示す図である。
【図２０】上側筐体、下側筐体、および中間筐体の透視図である。
【図２１】携帯電話機における各種寸法を示す図である。
【図２２】上側筐体を下側筐体に対して傾ける動作を示す図である。
【図２３】第７実施形態の携帯電話機における各種寸法を示す図である。
【図２４】上側筐体を下側筐体に対して傾ける動作を示す図である。
【図２５】第８実施形態の携帯電話機における各種寸法を示す図である。
【図２６】第９実施形態の携帯電話機において、中間筐体の表面側を示す図である。
【図２７】上側筐体の裏面側を示す図である。
【図２８】上側筐体を下側筐体に対して傾ける動作を示す図である。
【符号の説明】
【０１６６】
１００    携帯電話機
１００Ａ    上側筐体
１００Ｂ    下側筐体
１００Ｃ    中間筐体
１０１    液晶パネル
１０２    送話口
１０４    選択ボタン
１０５    プッシュボタン
１０６    受話口
１１０    ＣＰＵ
１１１    ＲＯＭ
１１２    不揮発メモリ
１１３    ＲＡＭ
１２１    マイクデバイス
１２２    表示デバイス
１２３    スピーカデバイス
１２４    キーデバイス
１２５    カメラデバイス
１２６    時計
１３１    近距離デバイス
１３２    遠距離デバイス
１３３    テレビデバイス
１４０    メディアコントローラ
１５０    充電池
２００    ヒンジ部
２０１    突当台
２１０    上下溝
３１０    突起
３１１    貫通孔
４１０    電気ケーブル
【図１】
2008199385.tif 000003
【図２】
2008199385.tif 000004
【図３】
2008199385.tif 000005
【図４】
2008199385.tif 000006
【図５】
2008199385.tif 000007
【図６】
2008199385.tif 000008
【図７】
2008199385.tif 000009
【図８】
2008199385.tif 000010
【図９】
2008199385.tif 000011
【図１０】
2008199385.tif 000012
【図１１】
2008199385.tif 000013
【図１２】
2008199385.tif 000014
【図１３】
2008199385.tif 000015
【図１４】
2008199385.tif 000016
【図１５】
2008199385.tif 000017
【図１６】
2008199385.tif 000018
【図１７】
2008199385.tif 000019
【図１８】
2008199385.tif 000020
【図１９】
2008199385.tif 000021
【図２０】
2008199385.tif 000022
【図２１】
2008199385.tif 000023
【図２２】
2008199385.tif 000024
【図２３】
2008199385.tif 000025
【図２４】
2008199385.tif 000026
【図２５】
2008199385.tif 000027
【図２６】
2008199385.tif 000028
【図２７】
2008199385.tif 000029
【図２８】
2008199385.tif 000030